(57)【特許請求の範囲】
【請求項１】
可聴周波数の音声を出力可能な音声出力器を備えて演奏情報および歌詞情報を含む楽曲情報に基づいて再生を行うカラオケ装置に、操作主体として設定された利用者によりタッチパネルディスプレイから入力された操作情報を送信するカラオケ入力装置であって、
入力された第１利用者識別情報と予め記憶された第１利用者識別情報とが一致することに基づいて前記利用者を認証する利用者認証制御手段と、
前記利用者認証制御手段により認証された前記利用者から操作主体となる前記利用者を選択する利用者切替制御手段と、
予め記憶された複数の前記楽曲情報から少なくとも１つの前記楽曲情報が選択された場合、前記タッチパネルディスプレイに選曲予約受付画像を表示、かつ、前記選曲予約受付画像内に前記利用者切替制御手段によって操作主体に選択された前記利用者の前記第１利用者識別情報に関連付けられた第２利用者識別情報を表示させる表示制御手段と、
前記複数の楽曲情報から少なくとも１つの前記楽曲情報が選択された場合、前記利用者切替制御手段によって操作主体に選択された前記利用者の前記第１利用者識別情報に関連付けられた前記第２利用者識別情報を前記音声出力器から音声出力させる音声出力手段とを、含む
ことを特徴とするカラオケ入力装置。
【請求項２】
前記表示制御手段は、前記第２利用者識別情報を、前記選曲予約受付画像内の予約指示釦またはその近傍に表示させる
ことを特徴とする請求項１のカラオケ入力装置。
【請求項３】
前記表示制御手段は、利用者毎に選択された複数の楽曲情報を利用者毎に一覧表で示す選曲一覧表画像を表示させ、前記選曲一覧表画像に表示された前記楽曲情報の中から１つの前記楽曲情報を選択することにより前記選曲予約受付画像を表示させる
ことを特徴とする請求項１から請求項２のいずれか１のカラオケ入力装置。
【請求項４】
前記表示制御手段は、前記複数の楽曲情報から少なくとも１つの前記楽曲情報が選択された場合、前記選曲予約受付画像内の予約指示釦またはその近傍に、前記利用者切替制御手段によって操作主体に選択された前記利用者の前記第１利用者識別情報に関連付けられた前記第２利用者識別情報を点滅表示させる
ことを特徴とする請求項１のカラオケ入力装置。
【請求項５】
前記表示制御手段は、前記複数の楽曲情報から選択された１つの前記楽曲情報が、前記利用者切替制御手段によって操作主体に選択された前記利用者の前記第１利用者識別情報に関連付けられた過去に利用した楽曲情報に含まれない場合には、視覚的あるいは光学的なアラートを出力させるものである
ことを特徴とする請求項１のカラオケ入力装置。
【請求項６】
前記表示制御手段は、視覚的あるいは光学的なアラートを出力させた場合に利用者の切替操作がない場合には、前記選曲予約受付画像内の予約指示釦またはその近傍に、前記利用者切替制御手段によって操作主体に選択された前記利用者の前記第１利用者識別情報に関連付けられている前記第２利用者識別情報を表示させる
ことを特徴とする請求項５のカラオケ入力装置。
【請求項７】
可聴周波数の音声を出力可能な音声出力器を備えて演奏情報および歌詞情報を含む楽曲情報に基づいて再生を行うカラオケ装置に、操作主体として設定された利用者によりタッチパネルディスプレイから入力された操作情報を送信するカラオケ入力装置の、制御装置として機能するコンピュータを、
入力された第１利用者識別情報と予め記憶された第１利用者識別情報とが一致することに基づいて前記利用者を認証する利用者認証制御手段、
前記利用者認証制御手段により認証された前記利用者から操作主体となる前記利用者を選択する利用者切替制御手段、
予め記憶された複数の前記楽曲情報から少なくとも１つの前記楽曲情報が選択された場合、前記タッチパネルディスプレイに予約指示釦を含む選曲予約受付画像を表示、かつ、前記選曲予約受付画像内に前記利用者切替制御手段によって操作主体に選択された前記利用者の前記第１利用者識別情報に関連付けられた第２利用者識別情報を表示させる表示制御手段、および、
前記複数の楽曲情報から少なくとも１つの前記楽曲情報が選択された場合、前記利用者切替制御手段によって操作主体に選択された前記利用者の前記第１利用者識別情報に関連付けられた前記第２利用者識別情報を前記音声出力器から音声出力させる音声出力手段として機能させることを特徴とするプログラム。
【発明の詳細な説明】
【技術分野】
【０００１】
本発明は、操作主体として予め設定された利用者による操作情報をカラオケ装置へ送信するカラオケ入力装置に関し、特に、操作主体として予め設定された利用者以外の利用者による操作情報が操作主体として予め設定された利用者による操作情報として誤って送信されることを抑制するための改良に関する。
【背景技術】
【０００２】
カラオケ装置に選曲予約を入力する等のために複数の利用者に用いられるカラオケ入力装置たとえばリモコン装置と称されるものが知られている。このようなカラオケ入力装置の一種に、操作主体としても利用者を特定するＩＤを予め設定（ログイン）し、操作情報を利用者のＩＤと関連づけて送信することで、利用者に対する種々のサービスを行うことが考えられている。また、複数の利用者がログインした状態において、入力操作に応じてカラオケ入力装置の操作主体として設定される利用者を切り替え可能とされたものが知られている。例えば、特許文献１に記載されたカラオケリモコン装置がその一例である。
【先行技術文献】
【特許文献】
【０００３】
【特許文献１】特開２００９−２９４２４３号公報
【発明の概要】
【発明が解決しようとする課題】
【０００４】
しかし、従来の技術において、カラオケ入力装置により複数の利用者がログインした状態においては、そのカラオケ入力装置の操作主体として設定される利用者が実際の利用者（カラオケ入力装置を用いて実際に操作を行う利用者）に切り替えられないまま操作が行われるおそれがあった。例えば、カラオケ入力装置の操作主体として設定されている利用者のそのままであって、入力装置も操作主体として設定されている利用者以外の利用者によって選曲予約操作が行われた場合、その選曲予約操作に係る楽曲が、入力装置の操作主体として設定されている利用者の選曲履歴として記憶されてしまい、利用者に対する適切なサービスが損なわれるおそれがあった。すなわち、カラオケ入力装置において、操作主体として設定されるべき利用者への適切な切り替えを実現する技術は、未だ開発されていないのが現状である。
【０００５】
本発明は、以上の事情を背景として為されたものであり、その目的とするところは、カラオケ入力装置の操作主体として設定されている利用者が実際に選曲予約操作を実行する利用者を操作主体として設定するべく利用者への適切な切り替えを実現可能とするカラオケ入力装置を提供することにある。
【課題を解決するための手段】
【０００６】
第１発明の要旨とするところは、（ａ）可聴周波数の音声を出力可能な音声出力器を備えて演奏情報および歌詞情報を含む楽曲情報に基づいて再生を行うカラオケ装置に、操作主体として設定された利用者によりタッチパネルディスプレイから入力された操作情報を送信するカラオケ入力装置であって、（ｂ）入力された第１利用者識別情報と予め記憶された第１利用者識別情報とが一致することに基づいて前記利用者を認証する利用者認証制御手段と、（ｃ）前記利用者認証制御手段により認証された前記利用者から操作主体となる前記利用者を選択する利用者切替制御手段と、（ｃ）前記利用者認証制御手段により認証された前記利用者から操作主体となる前記利用者を選択する利用者切替制御手段と、（ｄ）予め記憶された複数の前記楽曲情報から少なくとも１つの前記楽曲情報が選択された場合、前記タッチパネルディスプレイに選曲予約受付画像を表示、かつ、前記選曲予約受付画像内に前記利用者切替制御手段によって操作主体に選択された前記利用者の前記第１利用者識別情報に関連付けられた第２利用者識別情報を表示させる表示制御手段と、（ｅ）前記複数の楽曲情報から少なくとも１つの前記楽曲情報が選択された場合、前記利用者切替制御手段によって操作主体に選択された前記利用者の前記第１利用者識別情報に関連付けられた前記第２利用者識別情報を前記音声出力器から音声出力させる音声出力手段とを、含むことにある。
【０００７】
第２発明の要旨とするところは、第１発明において、前記表示制御手段は、前記第２利用者識別情報を、前記選曲予約受付画像内の予約指示釦またはその近傍に表示させることにある。
【０００８】
第３発明の要旨するところは、第１発明または第２発明において、前記表示制御手段は、利用者毎に選択された複数の楽曲情報を利用者毎に一覧表で示す選曲一覧表画像を表示させ、前記選曲一覧表画像に表示された前記楽曲情報の中から１つの前記楽曲情報を選択することにより前記選曲予約受付画像を表示させることにある。
【０００９】
第４発明の要旨とするところは、第１発明において、前記表示制御手段は、前記複数の楽曲情報から少なくとも１つの前記楽曲情報が選択された場合、前記選曲予約受付画像内の予約指示釦またはその近傍に、前記利用者切替制御手段によって操作主体に選択された前記利用者の前記第１利用者識別情報に関連付けられた前記第２利用者識別情報を点滅表示させることにある。
【００１１】
第５発明の要旨とするところは、第１発明において、前記表示制御手段は、前記複数の楽曲情報から選択された１つの前記楽曲情報が、前記利用者切替制御手段によって操作主体に選択された前記利用者の前記第１利用者識別情報に関連付けられた過去に利用した楽曲情報に含まれない場合には、視覚的あるいは光学的なアラートを出力させることにある。
【００１２】
第６発明の要旨とするところは、第５発明において、前記表示制御手段は、視覚的あるいは光学的なアラートを出力させた場合に利用者の切替操作がない場合には、前記選曲予約受付画像内の予約指示釦またはその近傍に、前記利用者切替制御手段によって操作主体に選択された前記利用者の前記第１利用者識別情報に関連付けられている前記第２利用者識別情報を表示させることにある。
【００１３】
第７発明の要旨とするところは、可聴周波数の音声を出力可能な音声出力器を備えて演奏情報および歌詞情報を含む楽曲情報に基づいて再生を行うカラオケ装置に、操作主体として設定された利用者によりタッチパネルディスプレイから入力された操作情報を送信するカラオケ入力装置の、制御装置として機能するコンピュータを、入力された第１利用者識別情報と予め記憶された第１利用者識別情報とが一致することに基づいて前記利用者を認証する利用者認証制御手段、前記利用者認証制御手段により認証された前記利用者から操作主体となる前記利用者を選択する利用者切替制御手段、予め記憶された複数の前記楽曲情報から少なくとも１つの前記楽曲情報が選択された場合、前記タッチパネルディスプレイに予約指示釦を含む選曲予約受付画像を表示、かつ、前記選曲予約受付画像内に前記利用者切替制御手段によって操作主体に選択された前記利用者の前記第１利用者識別情報に関連付けられた第２利用者識別情報を表示させる表示制御手段、および、前記複数の楽曲情報から少なくとも１つの前記楽曲情報が選択された場合、前記利用者切替制御手段によって操作主体に選択された前記利用者の前記第１利用者識別情報に関連付けられた前記第２利用者識別情報を前記音声出力器から音声出力させる音声出力手段として機能させるプログラムであることにある。
【発明の効果】
【００１４】
第１発明によれば、予め記憶された複数の楽曲情報から少なくとも１つの楽曲情報が選択された場合には、タッチパネルディスプレイに表示された選曲予約受付画像内に第２利用者識別情報が表示されるので、選曲予約操作しようとする利用者は、その第２利用者識別情報を見ることで、カラオケ入力装置の操作主体として設定されている利用者を容易に気づくことができる。このため、操作主体として設定されるべき利用者への適切な切り替えを実現可能となる。また、カラオケ入力装置は、可聴周波数の音声を出力可能な音声出力器を備えており、複数の楽曲情報から少なくとも１つの楽曲情報が選択された場合、利用者切替制御手段によって操作主体に選択された利用者の第１利用者識別情報に関連付けられた第２利用者識別情報を音声出力器から音声出力させる音声出力手段とを、含むことから、その音声出力に注意を引かれることにより、カラオケ入力装置の操作主体として設定されている利用者を容易に気づくことができる。
【００１５】
第２発明によれば、表示制御手段により、第２利用者識別情報が選曲予約受付画像内の予約指示釦またはその近傍に表示されるので、選曲予約操作しようとした利用者が容易にその第２利用者識別情報を認識することができる。
【００１６】
第３発明によれば、表示制御手段は、利用者毎に選択された複数の楽曲情報を利用者毎に一覧表で示す選曲一覧表画像を表示させ、選曲一覧表画像に表示された楽曲情報の中から１つの楽曲情報を選択することにより選曲予約受付画像を表示させるので、カラオケ入力装置の操作主体として設定されている利用者によって選曲予約操作を行うことができる。
【００１７】
第４発明によれば、表示制御手段は、複数の楽曲情報から少なくとも１つの楽曲情報が選択された場合、選曲予約受付画像内の予約指示釦またはその近傍に、利用者切替制御手段によって操作主体に選択された利用者の第１利用者識別情報に関連付けられた第２利用者識別情報を点滅表示させることから、その点滅表示に注意を引かれることにより、カラオケ入力装置の操作主体として設定されている利用者を容易に気づくことができる。
【００１９】
第５発明によれば、表示制御手段は、複数の楽曲情報から選択された１つの楽曲情報が、利用者切替制御手段によって操作主体に選択された利用者の第１利用者識別情報に関連付けられた過去に利用した楽曲情報に含まれない場合には、視覚的あるいは光学的なアラートを出力させるものである。このため、そのアラートに注意を引かれることにより、カラオケ入力装置の操作主体として設定されている利用者を容易に気づくことができる。
【００２０】
第６発明によれば、表示制御手段は、視覚的あるいは光学的なアラートを出力させた場合に利用者の切替操作がない場合には、選曲予約受付画像内の予約指示釦またはその近傍に、利用者切替制御手段によって操作主体に選択された利用者の第１利用者識別情報に関連付けられている第２利用者識別情報を表示させる。このため、その第２利用者識別情報を見ることで、カラオケ入力装置の操作主体として設定されている利用者を容易に気づくことができる。
【００２１】
第７発明によれば、予め記憶された複数の楽曲情報から少なくとも１つの楽曲情報が選択された場合には、選曲予約受付画像内に第２利用者識別情報が表示されるので、その第２利用者識別情報を見ることで、カラオケ入力装置の操作主体として設定されている利用者を容易に気づくことができる。このため、操作主体として設定されるべき利用者への適切な切り替えを実現可能となる。
【図面の簡単な説明】
【００２２】
【図１】本発明のカラオケ入力装置が好適に用いられるカラオケ装置の構成を例示するブロック線図である。
【図２】図１のカラオケ入力装置の構成を例示するブロック線図である。
【図３】図２に示すカラオケ入力装置のＣＰＵに備えられた制御機能の要部を例示する機能ブロック線図である。
【図４】図２に示すカラオケ入力装置のタッチパネルディスプレイに表示される、操作主体となる利用者毎に生成された選曲一覧表を含む選曲一覧表画像の一例を示す図である。
【図５】図２のカラオケ入力装置のタッチパネルディスプレイに、図３の表示制御手段に利用者毎の選曲一覧表の一楽曲が選択され、切り替えられる選曲予約受付画像を例示する図である。
【図６】図２に示すカラオケ入力装置のＣＰＵにより実行される制御作動の要部を説明するフローチャートである。
【図７】図２に示すカラオケ入力装置のＣＰＵにより実行される制御作動の要部の他の例を説明するフローチャートである。
【図８】図２に示すカラオケ入力装置のＣＰＵにより実行される制御作動の要部の他の例を説明するフローチャートである。
【図９】図２に示すカラオケ入力装置のＣＰＵにより実行される制御作動の要部の他の例を説明するフローチャートである。
【発明を実施するための形態】
【００２３】
以下、本発明の好適な実施例を図面に基づいて詳細に説明する。
【実施例１】
【００２４】
図１は、本発明のカラオケ入力装置が好適に用いられるカラオケ装置１０の構成を例示するブロック線図である。図１に示すように、カラオケ装置１０は、中央演算処理装置であるＣＰＵ１２と、読出専用メモリであるＲＯＭ１４と、随時書込読出メモリであるＲＡＭ１６と、記憶装置であるハードディスク１８と、グラフィックスチップ（グラフィックスボード）等の映像処理部２０と、サウンドチップ（サウンドボード）等の音声処理部２２と、操作パネル２４と、表示制御部２６及び入力制御部２８を介してＣＰＵ１２に接続されたタッチパネルディスプレイ３０と、ＬＡＮインターフェイス３６と、ビデオ出力端子３８を介して映像処理部２０に接続された映像表示装置であるディスプレイ４０と、オーディオ入力端子４２を介して音声処理部２２に接続された音声入力装置であるマイクロフォン４４と、オーディオ出力端子４６を介して音声処理部２２に接続された音声増幅装置であるアンプ４８と、そのアンプ４８に備えられた音声出力装置であるスピーカ５０とを、備えて構成されている。
【００２５】
ＣＰＵ１２は、ＲＡＭ１６の一時記憶機能を利用しつつＲＯＭ１４に予め記憶された所定のプログラムに基づいて電子情報を処理・制御する所謂マイクロコンピュータであり、カラオケ装置１０における各種制御を実行する。すなわち、操作パネル２４、タッチパネルディスプレイ３０、或いは後述するカラオケ入力装置６０等により所定の楽曲（カラオケ演奏曲）が選曲入力された場合、その選曲入力された楽曲をＲＡＭ１６等に設けられた予約曲テーブルに登録する選曲予約制御、その予約曲テーブルの演奏順に従ってＨＤＤ（以下、ハードディスクという）１８から選曲入力された楽曲の演奏情報及び歌詞情報（楽曲情報）を読み出し、読み出した楽曲情報をＲＡＭ１６に一時記憶する楽曲情報読出制御、楽曲の演奏進行に応じてそのＲＡＭ１６に一時記憶された演奏情報を音声処理部２２へ送信する演奏出力制御、その演奏出力制御に際してＲＡＭ１６に一時記憶された歌詞情報に基づいて歌詞文字映像を生成して映像処理部２０へ送信する歌詞文字映像出力制御、演奏出力制御に際して映像処理部２０を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御を実行する。
【００２６】
映像処理部２０は、ディスプレイ４０に表示される画像（映像）の描画に係る各種制御を行う。例えば、ＣＰＵ１２から供給されるデータに基づいてグラフィックスメモリにそのデータを書き込み、そのデータを読み出すことによってビデオ出力端子３８を介してディスプレイ４０に所定の画像を表示させる制御を行う。具体的には、カラオケ装置１０による楽曲の演奏出力（カラオケ演奏）に際して、ＣＰＵ１２において生成された歌詞文字映像等の文字映像（テロップ）を出力させたり、ハードディスク１８に記憶されたＭＰＥＧ（Moving Picture Experts Group）データ等の背景映像情報に基づいて所定の背景映像を再生（デコード）させたり、その背景映像の前面側に歌詞文字映像を合成させてディスプレイ４０に表示させたり、その歌詞文字映像を楽曲の演奏進行に応じて順次色替わり表示させる等の各種表示制御を行う。
【００２７】
音声処理部２２は、ＦＭ音源やＰＣＭ音源等の各種音源を備え、カラオケ装置１０による音声出力に係る各種制御を行う。好適には、電子回路により音を合成し、各種音色を発生させるシンセサイザ（synthesizer）を備えている。このシンセサイザは、ハードディスク１８から送信される楽曲の演奏情報に基づいて楽器の演奏信号等の音楽信号を生成する。シンセサイザは、好適には、ＭＩＤＩ（Musical Instrument Digital Interface）端子を備えたものであり、演奏情報は、例えばＭＩＤＩ形式のデータである。そのＭＩＤＩデータに基づいてシンセサイザにより生成された音楽信号は、マイクロフォン４４からオーディオ入力端子４２を介して入力される利用者（演奏者）の歌声とミキシングされ、オーディオ出力端子４６を介してアンプ４８に供給されてそのアンプ４８により増幅されてスピーカ５０から出力される。
【００２８】
操作パネル２４は、カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。タッチパネルディスプレイ３０は、画像（映像）を表示させると共に利用者の操作に応じてカラオケ装置１０への操作入力を行う装置であり、そのタッチパネルディスプレイ３０に所定の画像（映像）を表示させる表示装置３２と、利用者の指や図示しない備え付けのペン等によるタッチパネルディスプレイ３０への接触操作により入力を行うタッチパネル３４とを、備えている。表示制御部２６は、ＣＰＵ１２から供給される情報に基づいて表示装置３２に表示される画像（映像）の描画を制御する映像処理部である。入力制御部２８は、タッチパネル３４により入力される操作入力情報をＣＰＵ１２等に供給する入力処理部である。以上の構成を備えていることで、タッチパネルディスプレイ３０は、ディスプレイ４０とは別に第２の映像表示装置として機能すると共に、カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００２９】
ハードディスク１８には、楽曲データベースをはじめとする各種データベースが設けられている。楽曲データベースは、カラオケ装置１０により楽曲の演奏出力（カラオケ演奏）を行うための複数（例えば、数万曲）の楽曲情報（カラオケデータ）を記憶する。カラオケ装置１０において出力される各楽曲に対応して楽曲データベースに記憶された楽曲情報は、例えば、メタデータ、演奏情報としてのＭＩＤＩデータ、及び歌詞情報としてのテロップデータを含んでいる。このメタデータは、例えば、各楽曲情報の識別情報としての曲番号（選曲番号）、曲名、歌手名、登録日時等の情報を含んでいる。テロップデータは、映像処理部２０を介して各楽曲の歌詞文字映像表示制御を行うための情報である。例えば、楽曲情報に対応する楽曲の歌詞を複数に区分した各区分に相当するブロックデータを含んでいる。ＭＩＤＩデータは、音声処理部２２を介して各楽曲の演奏出力制御を行うための情報であり、複数種類の楽器にそれぞれ対応する複数のトラック（チャンネル）を備え、各トラックにおいて対応する楽器の演奏音の出力タイミングが定められている。
【００３０】
カラオケ装置１０に備えられたＬＡＮインターフェイス３６は、カラオケ装置１０をＬＡＮ接続端子５２およびＬＡＮ（local area network）５４を介して他のカラオケ装置１０やアクセスポイント５６などと接続するための接続器であり、そのようにＬＡＮ５４に接続されることで、カラオケ装置１０は、同様にＬＡＮ５４に接続されたカラオケ入力装置６０等の他の機器との間で情報の送受信が可能とされる。カラオケ装置１０が設置される店舗等に複数台のカラオケ装置が備えられている場合において、同様にＬＡＮ５４に接続されたカラオケ装置１０相互間において情報の送受信が可能とされる。
【００３１】
カラオケ装置１０は、ＬＡＮインターフェイス３６及びＬＡＮ５４等を介して公衆電話回線、ＡＤＳＬ回線、或いは光ファイバ回線等から構成されるＷＷＷ（World Wide Web）等のインターネットに接続された通信回線に接続する。カラオケ装置１０は、同様に通信回線に接続された他の機器との相互間でその通信回線を介して情報の通信が可能とされている。カラオケ装置１０は、好適には、通信回線を介して図示しないサーバ（ホスト装置）に接続されており、そのサーバから楽曲情報（カラオケデータ）、背景映像情報、及び曲間情報等のデジタルコンテンツ（Digital Contents）の配信を受け付けるものである。すなわち、カラオケ装置１０は、好適には、所定の通信回線に接続されてサーバとの間で各種情報の送受信を行う通信カラオケ装置であるが、斯かる通信回線に接続されない非通信型のカラオケ装置等にも本発明のカラオケ入力装置は好適に適用される。
【００３２】
カラオケ装置１０が通信回線に接続された通信カラオケ装置である態様において、カラオケ装置１０は、好適には、そのカラオケ装置１０を備えたカラオケシステムのホスト装置としてのサーバに接続されている。このサーバは、好適には、ＳＮＳデータベースを備えている。このＳＮＳデータベースは、カラオケ装置１０（カラオケシステム）の利用者を対象とするソーシャルネットワークサービス（Social Network Service）に係る各種情報を記憶する。このソーシャルネットワークサービスとは、例えば、予め会員登録された会員相互間に限定して情報の閲覧等のサービスを提供する会員制のコミュニティ型のウェブサイトをいう。以下の説明において、ソーシャルネットワークサービスをＳＮＳと略していう。ＳＮＳデータベースは、カラオケ装置１０を利用する利用者毎の、そのカラオケ装置１０を用いたカラオケ演奏に関する情報を、その利用者のユーザＩＤと関連付けて記憶する記憶装置である。ＳＮＳデータベースには、ユーザＩＤにより識別される利用者毎に、例えばその利用者の名前（ニックネーム）、生年月日、実際の年齢、性別、メールアドレス、利用者の住所又は居所に対応する地域、血液型、星座、ＳＮＳへのログイン認証に用いられるパスワード、パスワードを忘れたときのための質問及び解答、アバタ（ネット上において利用者を象徴する人型映像）に関する情報等の第２利用者識別情報が、第１利用者識別情報であるその利用者のユーザＩＤと関連付けて予め記憶（登録）されている。第２利用者識別情報は、利用者を特定するものであることがその利用者に直感させることができる意味を示す可及的に簡単なひらがな或いはカタカナを含む文字列や画像などから予め設定されている。第１利用者識別情報としての利用者のユーザＩＤは、数字や文字の羅列、利用者のメールアドレス、または利用者が任意に設定した情報である。
【００３３】
ＳＮＳデータベースには、各利用者のカラオケ装置１０を用いたカラオケ演奏に関する情報として、例えばその利用者が過去に利用したカラオケ装置１０に対応する店舗（そのカラオケ装置１０が設置された店舗）に関する情報である来店履歴、その利用者がカラオケ装置１０によるカラオケ演奏において十八番曲或いはお気に入りとして登録した楽曲（簡易な操作により選曲入力を行い得るように設定された楽曲）に関する情報、その利用者が過去にカラオケ装置１０によるカラオケ演奏において選曲入力した選曲履歴（カラオケ装置１０において過去に選曲された楽曲の履歴）に関する情報、その利用者がカラオケ装置１０によるカラオケ演奏において過去に行った演奏評価の評価結果に関する情報等が利用者毎にユーザＩＤに関連付けられて記憶される。
【００３４】
図２は、本発明の一実施例であるカラオケ入力装置６０（以下、単に入力装置６０という）の構成を例示するブロック線図である。本実施例の入力装置６０は、所定の画像（映像）を表示させると共に、利用者の接触操作に応じて入力を行うためのタッチパネルディスプレイ６２を備えている。入力装置６０は、無線ＬＡＮ通信部８０を備え、その無線ＬＡＮ通信部８０によりアクセスポイント５６及びＬＡＮを介してカラオケ装置１０に無線接続されるようになっており、タッチパネルディスプレイ６２における入力操作に応じて、カラオケ装置１０に対して所定の楽曲の選曲予約操作をはじめとする各種入力操作を行う。入力装置６０は、換言すれば、タッチパネルディスプレイ６２における入力操作に対応する信号をカラオケ装置１０へ送信するカラオケ用遠隔操作装置（リモートコントロール装置）である。
【００３５】
図２に示すように、入力装置６０は、タッチパネルディスプレイ６２に所定の画像を表示させる表示装置６４と、その表示装置６４による表示を制御する表示制御部６６と、利用者の指や図示しない備え付けのペン等によるタッチパネルディスプレイ６２への接触操作により入力を行うタッチパネル６８と、そのタッチパネル６８による入力を制御する入力制御部７０と、中央演算処理装置（電子制御争議）であるＣＰＵ７２と、読出専用メモリであるＲＯＭ７４と、随時書込読出メモリであるＲＡＭ７６と、フラッシュＲＯＭ等の記憶部７８と、無線ＬＡＮ通信部８０とを、備えて構成されている。ＣＰＵ７２が、入力装置６０に備えられたコンピュータ７７の主要部に相当する。入力装置６０は、好適には、タッチパネルディスプレイ６２を備えると共に、インターネット上における各種コンテンツをそのタッチパネルディスプレイ６２に表示させるウェブブラウザ機能等を備えた所謂タブレット端末である。
【００３６】
ＣＰＵ７２は、ＲＡＭ７６の一時記憶機能を利用しつつＲＯＭ７４に予め記憶されたプログラムに従って情報処理を実行する所謂マイクロコンピュータであり、表示制御部６６を介してタッチパネルディスプレイ６２（表示装置６４）に所定の映像を表示させたり、その画像に基づくタッチパネルディスプレイ６２（タッチパネル６８）への接触操作により入力制御部７０を介して入力される入力信号を処理したり、その入力信号に基づき無線ＬＡＮ通信部８０等を介してカラオケ装置１０へ選曲入力をはじめとする入力送信を行ったりといった基本的な制御に加えて、後述する本実施例の利用者切替制御に係る通知制御を実行する。
【００３７】
入力装置６０は、例えば無線ＬＡＮ通信部８０等を介してカラオケ装置１０との間で通信を行うことにより、そのカラオケ装置１０に関連付けられる。すなわち、入力装置６０が、所定のカラオケ装置１０の入力装置として関連付けられる。そのようにしてカラオケ装置１０に関連付けられた後、入力装置６０は、無線ＬＡＮ通信部８０等を介してカラオケ装置１０へ入力信号を送信するそのカラオケ装置１０の入力装置として機能する。すなわち、関連付け処理が行われた後、入力装置６０とカラオケ装置１０との間の通信は、ＬＡＮ５４及びアクセスポイント５６等を介したＬＡＮ通信により行われる。カラオケ装置１０との間で関連付け処理が行われた入力装置６０は、カラオケ装置１０との間で相互に情報の通信を行うことで、そのカラオケ装置１０の一部として機能する。
【００３８】
入力装置６０は、さらに、ＣＰＵ７２から供給される第２利用者識別情報を示すコード信号からその第２利用者識別情報を示すアナログ波形の音声を生成する音声生成部８２と、その音声生成部８２で合成された音声を可聴周波数で出力するスピーカなどの音声出力器８４とを備えている。
【００３９】
図３は、入力装置６０のＣＰＵ７２に備えられた制御機能の要部を例示する機能ブロック線図である。図３に示す各制御手段は、好適には、入力装置６０のＣＰＵ７２に機能的に備えられている。換言すれば、本発明の一実施例であるプログラムにより、ＣＰＵ７２が図３に示す各制御手段として機能させられる。以下に説明する利用者認証制御手段９０、利用者切替制御手段９２、選曲送信制御手段９４、平均選曲予約時間算出手段９６、規則性判定手段９８、及び通知制御手段１００の実質的な処理は、ＬＡＮ５４及び通信回線を介して入力装置６０に接続されたサーバ等により実行されるものであってもよい。すなわち、各制御手段による制御が他の装置により実行されると共に、入力装置６０が端末装置として機能する所謂クラウドとしての形態により実現されるものであってもよい。
【００４０】
利用者認証制御手段９０は、入力装置６０により入力される利用者の情報に応じてその利用者を認証し、認証が正常に行われた場合には利用者に係る入力装置６０の利用を許可する。好適には、入力装置６０のタッチパネルディスプレイ６２等により入力される第１利用者識別情報（ユーザＩＤ）と第２利用者識別情報とに応じてＳＮＳの利用者を認証し、その認証が正常に行われた場合にはその識別情報をもってその利用者のＳＮＳへのログインを許可する。具体的には、入力装置６０による認証制御に際して、タッチパネルディスプレイ６２によりユーザＩＤ及びパスワードが入力された場合、ＬＡＮ５４及び通信回線等を介して接続された図示しないサーバに照会を行う。すなわち、ユーザＩＤに関連付けられてＳＮＳデータベースに記憶されたパスワードが入力されたものと一致するか否かを照会し、一致する場合には正常な認証処理を行う一方、一致しない場合にはエラーとする。ＳＮＳデータベースへの登録を行っていない利用者に関しては、その利用者をゲストユーザとして認証する。すなわち、認証制御に際して、ユーザＩＤの入力が行われず、ゲストユーザとしてログインする旨の入力が行われた場合には、その利用者をゲストユーザとして認証する。
【００４１】
利用者切替制御手段９２は、タッチパネルディスプレイ６２への接触操作による入力操作に応じて、入力装置６０の操作主体（アクティブユーザ）として設定される利用者を切り替える。操作主体（アクティブユーザ）となる利用者の第１利用者識別情報（ユーザＩＤ）は、例えばＲＡＭ７６等に記憶される。そして、操作主体（アクティブユーザ）となる利用者の第１利用者識別情報（ユーザＩＤ）に基づいて、第２利用者情報をサーバから取得できる。利用者認証制御手段９０により複数の利用者が認証された場合、それら複数の利用者が入力装置６０の表示制御手段９４に、接触操作によって入力操作が可能な認証された利用者毎の専用画像ページが生成され表示される。利用者認証制御手段９０により複数の利用者が認証された場合、利用者切替制御手段９２は、タッチパネルディスプレイ６２を介しての入力装置６０の表示制御手段９４に表示された認証された利用者毎の専用画像ページを切り替えることができる。すなわち、利用者切替制御手段９２は、操作主体（アクティブユーザ）を選択或いは指定する入力操作に応じて、認証された利用者毎の専用画像ページの切り替えを実行し、認証された複数の利用者のうち何れか一人の利用者を、入力装置６０の操作主体（アクティブユーザ）として設定する。
【００４２】
表示制御手段９４は、認証された利用者毎に作成した専用画像ページにて、利用者毎により選択された複数の楽曲の一覧表を示す選曲一覧表画像をタッチパネルディスプレイ６２に表示させる。
【００４３】
図４は、公知の歌手名検索の結果として、歌手名たとえば「浜岡ゆうな」に対応する複数の楽曲が検索され、検索された楽曲の一覧表である選曲一覧表画像がタッチパネルディスプレイ６２に表示された例を示している。図４において、検索された複数の楽曲それぞれの選曲予約操作に対応する複数（図４では５つ）の選曲入力ボタン１０２ａ、１０２ｂ、１０２ｃ、１０２ｄ、１０２ｅ、前画像に戻す戻りボタン１０４、所定のトップ画像を表示させるトップボタン１０６、カラオケ装置１０の音量を調節する音量ボタン１０８、カラオケ装置１０の演奏を停止させる演奏停止ボタン１１０、カラオケ装置１０により出力されている楽曲の音程（キー）乃至出力速度を調節する演奏調節ボタン１１２、カラオケ装置１０により出力されている楽曲の音程を元のキー（デフォルト値）に戻す原曲キーボタン１１４、カラオケ装置１０により出力されている楽曲を最初から歌い直す操作を行う歌い直しボタン１１６、カラオケ装置１０により出力されている楽曲を早送りする早送りボタン１１８等の各種操作ボタンが表示されている。各操作ボタンに対してタッチパネル６８による入力操作（指や備え付けのペン等により各操作ボタンに対応する部分に接触する操作）が行われることにより、カラオケ装置１０に対して各操作ボタンに対応する信号が送信されるようになっている。
【００４４】
図４は、入力装置６０の操作主体として名前（ニックネーム）「まよまよ」に対応する一人の利用者が操作主体に設定された（アクティブ状態とされた）場合にタッチパネルディスプレイ６２に表示される選曲一覧表画像を例示する。図４に示す画像においては、認証された複数の利用者に対応してタブ１２０ａ、１２０ｂ、１２０ｃ、１２０ｄ、１２０ｅ、１２０ｆ（以下、特に区別しない場合には単にタブ１２０という）が表示されている。各タブ１２０には、そのタブ１２０に対応してＳＮＳデータベースに記憶された利用者のアバタの顔部が表示されている。図４では簡単のために全てのタブ１２０において同じ顔部が表示されている。
【００４５】
表示制御手段９４は、利用者切替制御手段９２により１人の操作主体（アクティブユーザ）が選択され、且つ、検索された複数の楽曲それぞれの選曲予約操作に対応する複数の楽曲の中から少なくとも１つの楽曲が選択された場合、選択された楽曲の詳細と選択された楽曲の選曲予約操作を受け付けるボタンとを含む選曲予約受付画像を表示させる制御を行う。具体的には、図４において選曲入力ボタン１０２ａが入力操作された場合、図５に示す選曲予約受付画像１３０が表示される。
【００４６】
表示制御手段９４は、利用者切替制御手段９２によって操作主体（アクティブユーザ）として設定された第１利用者識別情報に関連付けられた第２利用者識別情報をタッチパネルディスプレイ６２に表示させる制御を行う。具体的には、図５に示す予約ボタン表示部１３４内またはその近傍に、利用者切替制御手段９２によって操作主体（アクティブユーザ）として設定された第１利用者識別情報に関連付けられた利用者の名前（ニックネーム）が表示される。
【００４７】
選曲送信制御手段９６は、タッチパネルディスプレイ６２における選曲予約操作に対応する選曲入力信号（選曲予約）をカラオケ装置１０へ送信する。好適には、図４に示すように、タッチパネルディスプレイ６２に表示された予約ボタン表示部１３４への利用者の接触操作（タッチ入力）に応じて、その予約楽曲詳細表示部１３２に表示された楽曲を選曲入力するための信号（選曲入力信号）を無線ＬＡＮ通信部８０等を介してカラオケ装置１０に送信する。すなわち、利用者が所望する楽曲をカラオケ装置１０のＲＡＭ１６等に形成された予約曲テーブルに登録するための選曲予約処理を行う。同時に、選曲入力操作の主体である利用者（アクティブユーザ）のユーザＩＤを、選曲入力信号と関連付けてカラオケ装置１０へ送信する。すなわち、予約楽曲詳細表示部１３２に対する接触操作が行われた時点で、入力装置６０の操作主体として設定されている利用者のユーザＩＤを、選曲入力信号と関連付けてカラオケ装置１０へ送信する。選曲送信制御手段９６による選曲入力信号の送信が行われた場合、その選曲入力信号に係る選曲履歴がＲＡＭ７６等に設けられた選曲履歴テーブルに記憶される。すなわち、選曲入力信号に係る楽曲の選曲番号が、選曲主体である利用者のユーザＩＤ及び選曲された時点の時間情報（例えば、時分秒）と関連付けられて、選曲履歴テーブルに記憶される。
【００４８】
音声出力制御手段９８は、利用者切替制御手段９２によって操作主体（アクティブユーザ）として設定された第１利用者識別情報に関連付けられた第２利用者識別情報を出力する。具体的には、利用者切替制御手段９２によって操作主体（アクティブユーザ）として設定された第１利用者識別情報に関連付けられた利用者の名前（ニックネーム）が音声出力器８４から音声にて出力される。
【００４９】
音声出力制御手段９８は、表示制御手段９４によって検索された複数の楽曲それぞれの選曲予約操作に対応する複数の楽曲の中から少なくとも１つの楽曲が選択された場合、選択された楽曲の情報と選択された楽曲の選曲入力を受け付けるボタンとを含む選曲予約受付画像１３０を表示させる制御が実行されたときに、操作主体（アクティブユーザ）である第１利用者識別情報に関連付けられた利用者の名前（ニックネーム）が音声出力器８４から音声にて出力される。または、音声出力制御手段９８は、利用者切替制御手段９２によって操作主体（アクティブユーザ）の切替が実行されたときに、操作主体（アクティブユーザ）である第１利用者識別情報に関連付けられた利用者の名前（ニックネーム）が音声出力器８４から音声にて出力させてもよい。
【００５０】
図５は、タッチパネルディスプレイ６２に表示される画像を例示する図である。図５において、接触操作された選曲入力ボタン１０２ａの楽曲の詳細を示す予約楽曲詳細表示部１３２、及び予約ボタン表示部１３４等を有する選曲予約受付画像１３０が図５に示されている。図５において、予約ボタン表示部１３４内またはその近傍には利用者切替制御手段９２により入力装置６０の操作主体（アクティブユーザ）として設定された一人の利用者の名前（ニックネーム）が表示される。たとえば、図４に示すタブ１２０ｆのユーザＩＤに関連付けられている第２利用者識別情報のニックネーム「まよまよ」が予約ボタン表示部１３４内に表示されている。図５に示す予約ボタン表示部１３４は、予約指示釦として実質的に機能する。
【００５１】
図６は、入力装置６０のＣＰＵ７２により実行される本実施例の表示制御の要部を示すフローチャートであり、繰り返し実行されるものである。
【００５２】
先ず、ステップ（以下、ステップを省略する）Ｓ１において、入力装置６０のタッチパネルディスプレイ６２等により入力される第１利用者識別情報（ユーザＩＤ）と、ユーザＩＤに関連付けられてＳＮＳデータベースに予め記憶されたパスワードが一致するか否かを照会し判断する。判断が不一致の場合はログイン処理の受付けを否定するが，判断が一致した場合はログイン処理の受付けを肯定する。このＳ１の判断が否定される場合はＳ３以下が実行されるが，肯定される場合は、Ｓ２において、操作主体としての利用者（アクティブユーザ）の認証のためのログイン処理が実行される。これらＳ１およびＳ２は、利用者認証制御手段９０の機能に対応している。
【００５３】
次いで、Ｓ３において、操作主体（アクティブユーザ）の選択を受け付けたか否かが判断される。具体的には、楽曲の選曲予約操作に先立って、操作主体（アクティブユーザ）を切替えるため、タッチパネルディスプレイ６２に表示されたタブ１２０が接触操作されることによるアクティブユーザの切替操作を受け付けたか否かが判断される。このＳ３の判断が否定される場合はＳ５以下が実行されるが、肯定される場合は、Ｓ４において、接触操作されたタブに関連付けられたユーザＩＤをアクティブユーザに設定する。これらＳ３およびＳ４は、利用者切替制御手段９２に対応している。
【００５４】
次に、Ｓ５において、利用者によって１つの楽曲が特定されたか否かが判断される。具体的には、利用者によりタッチパネルディスプレイ６２に表示された検索された曲の一覧表の中から１つの楽曲が選択されたが否かが判断される。このＳ５の判断が否定される場合はＳ１以下が繰り返し実行されるが、肯定される場合は、Ｓ６以下が実行される。
【００５５】
続いて、表示制御手段９４に対応するＳ６では、Ｓ５において特定された楽曲の選曲予約受付画像１３０が表示され、かつ、Ｓ４において設定されたアクティブユーザの第１利用者識別情報に関連付けられた第２利用者識別情報を予約表示釦に表示する。具体的には、図５に示されるように、タッチパネルディスプレイ６２に、選曲予約受付画像１３０が表示され、アクティブユーザのユーザＩＤに関連付けられた利用者の名前（ニックネーム）が選曲予約受付画像１３０内の予約ボタン表示部１３４内またはその近傍である第２利用者識別情報１４４に表示される。
【００５６】
続くＳ７では、アクティブユーザの切替操作を受け付けたか否かが判断される。具体的には、図５に示すように、タッチパネルディスプレイ６２に表示された予約ボタン表示部１３４内またはその近傍に、アクティブユーザのユーザＩＤに関連付けられた利用者の名前（ニックネーム）の第２利用者識別情報１４４を利用者が視認し、アクティブユーザの切替操作を利用者が行う場合であって、図５においてユーザ切替ボタン１４０に対し接触操作が行われたか否かが判断される。このＳ７の判断が否定される場合は、Ｓ８が実行される。Ｓ７の判断が肯定される場合は、Ｓ９にてユーザの切替え処理が行われる。具体的には、ユーザ切替ボタン１４０を接触操作することにより新たなアクティブユーザを選択する。そしてＳ６が再び実行されて新たにアクティブユーザとなったユーザＩＤに関連付けて記憶されている第２利用者識別情報である利用者の名前（ニックネーム）を第２利用者識別情報１４４に表示する。
【００５７】
Ｓ８においては、予約指示を受け付けたか否かが判断される。具体的には、図５における予約ボタン表示部１３４が利用者によって接触操作されたか否かが判断される。Ｓ８の判断が否定される場合は、Ｓ７が再び実行されるが、肯定される場合は選曲送信制御手段９６に対応するＳ１０において、入力装置６０の操作主体として設定されている利用者のユーザＩＤと選曲番号とを含む選曲入力信号がカラオケ装置１０に送信される。
【００５８】
上述のように、本実施例によれば、操作主体としての利用者である一人のアクティブユーザが選択されており、予め記憶された複数の楽曲情報に関連する楽曲情報関連情報から少なくとも１つの楽曲情報関連情報が選択された場合には、予約ボタン表示部１３４内またはその近傍に、アクティブユーザとして選択されているユーザＩＤと関連づけられた第２利用者識別情報が表示されるので、選曲予約操作に際して、その第２利用者識別情報を見ることで、入力装置６０の操作主体として設定されている利用者を容易に気づくことができる。このため、操作主体として設定されるべき利用者への適切な切り替えを実現可能となる。
【実施例２】
【００５９】
図７は、本発明の他の実施例における、入力装置６０のＣＰＵ７２により実行される本実施例の表示制御の要部を示すフローチャートであり、繰り返し実行されるものである。本実施例のフローチャートは、前述の図６のフローチャートと比較して、Ｓ１〜Ｓ５およびＳ７〜Ｓ１０は同様であるのでそれら説明を省略し、相違しているＳ６−１について専ら説明する。
【００６０】
図７のＳ６−１は、表示制御手段９４に対応するものであり、図６のＳ６と比較して、予約ボタン表示部１３４内にまたはその近傍に、アクティブユーザとして選択されているユーザＩＤと関連づけられた第２利用者識別情報が点滅表示される点で、相違している。
【００６１】
本実施例によれば、選曲予約操作に際して、その第２利用者識別情報を見ることで、入力装置６０の操作主体として設定されている利用者を容易に気づくことができるので、前述の実施例と同様の効果が得られる。また、本実施例では、第２利用者識別情報が点滅して表示されるので、一層容易に、入力装置６０の操作主体として設定されている利用者を容易に気づくことができる。
【実施例３】
【００６２】
図８は、本発明の他の実施例における、入力装置６０のＣＰＵ７２により実行される本実施例の表示制御の要部を示すフローチャートであり、繰り返し実行されるものである。本実施例のフローチャートは、前述の図６のフローチャートと比較して、Ｓ１〜Ｓ５およびＳ７〜Ｓ１０は同様であるのでそれら説明を省略し、相違しているＳ６−２について専ら説明する。
【００６３】
図８のＳ６−２は、音声出力制御手段９８に対応するものであり、図６のＳ６と比較して、予約ボタン表示部１３４内にまたはその近傍にアクティブユーザとして選択されているユーザＩＤと関連づけられた第２利用者識別情報が表示されるのではなく、音声出力器８４からその第２利用者識別情報が音声出力される点で、相違している。
【００６４】
本実施例によれば、選曲予約操作に際して、音声出力制御手段９８により音声出力器８４から出力されたその第２利用者識別情報の音声を利用者が聞くことで、入力装置６０の操作主体として設定されている利用者を容易に気づくことができるので、前述の実施例と同様の効果が得られる。また、本実施例では、第２利用者識別情報を音声で聞くことができるので、一層容易に、入力装置６０の操作主体として設定されている利用者を容易に気づくことができる。
【実施例４】
【００６５】
図９は、本発明の他の実施例における、入力装置６０のＣＰＵ７２により実行される本実施例の表示制御の要部を示すフローチャートであり、繰り返し実行されるものである。本実施例のフローチャートは、前述の図６のフローチャートと比較して、Ｓ１〜Ｓ９は同様であるのでそれら説明を省略し、追加されているＳ１０−Ｓ１２について専ら説明する。
【００６６】
図９において、Ｓ５の判断が肯定される場合は、Ｓ１０において、選曲予約操作により特定された楽曲が、アクティブユーザに設定されているユーザＩＤに関連付けて記憶されている選曲履歴や予め登録されている十八番曲に含まれているか否かが判断される。具体的には、図５に示す予約ボタン表示部１３４内に表示された第２利用者識別情報１４４のユーザＩＤに関連付けてＳＮＳデータベースに選曲履歴や十八番曲に同一の楽曲が記憶されているか否かが判断される。このＳ１０の判断が肯定される場合はＳ６以下が実行されるが、否定される場合は、表示制御手段９４に対応するＳ１１においてアクティブユーザの確認を促すメッセージを伴うアラート画像すなわちアクティブユーザ確認画像が表示装置６４に表示され、および／または、アクティブユーザの確認を促すメッセージが音声出力器８４から出力される。
【００６７】
次いで、Ｓ７において、アクティブユーザの切替操作を受け付けたか否かが判断される。このＳ７の判断が否定される場合は、Ｓ６以下が実行されるが、Ｓ７の判断が肯定される場合は、Ｓ１２において、切替操作を受け付けたユーザＩＤをアクティブユーザとする設定が実行された後、Ｓ１０以下が実行される。
【００６８】
本実施例によれば、複数の楽曲情報に関連する楽曲関連情報から選択された１つの楽曲関連情報が、利用者認証制御手段９０によりログイン認証された利用者（アクティブユーザ）が過去に利用した楽曲を記憶した履歴に含まれない場合や、予め登録した十八番曲に含まれない場合には、表示制御手段９４に対応するＳ１１により視覚的あるいは光学的なアクティブユーザ確認メッセージを含むアラートを出力させるものである。このため、そのアラートに注意を引かれることにより、カラオケ入力装置の操作主体として設定されている利用者を容易に気づくことができる。
【００６９】
また、本実施例によれば、表示制御手段９４に対応するＳ１１により視覚的あるいは光学的なアラートが出力された場合に利用者の切替操作がない場合には、表示制御手段９４に対応するＳ６により、予約指示釦またはその近傍に、第１利用者識別情報に関連付けられている第２利用者識別情報が表示される。これにより、アラートの出力に拘わらず新たなアクティブユーザに変更されない場合でも、予約指示釦またはその近傍に、第１利用者識別情報に関連付けられている第２利用者識別情報を表示させる。このため、その第２利用者識別情報を見ることで、カラオケ入力装置の操作主体として設定されている利用者を容易に気づくことができる。
【００７０】
以上、本発明の好適な実施例を図面に基づいて詳細に説明したが、本発明はこれらの実施例に限定されるものではなく、更に別の態様においても実施される。
【００７１】
例えば、前述の実施例においては、カラオケ装置１０とは別体の装置として設けられた入力装置６０に本発明が適用された例について説明したが、本発明はこれに限定されるものではなく、カラオケ装置１０と一体的に設けられた入力装置にも、本発明は好適に適用される。例えば、カラオケ装置１０の入力装置としてのタッチパネルディスプレイ３０に本発明が適用されたものであってもよい。或いは、カラオケ装置１０の入力装置として機能する利用者のパーソナル端末である携帯電話機やタブレット端末等にも、本発明は好適に適用される。
【００７２】
前述の第１実施例において、表示制御手段９４は、予め記憶された複数の楽曲情報に関連する楽曲情報関連情報から少なくとも１つの楽曲情報関連情報が選択された場合には、予約ボタン表示部１３４内またはその近傍に、アクティブユーザとして選択されているユーザＩＤと関連づけられた第２利用者識別情報を表示させていた。しかし、その第２利用者識別情報は必ずしも予約ボタン表示部１３４内またはその近傍に表示される必要はなく、選曲予約操作に際して用いられる選曲予約受付画像１３０内であればよい。
【００７３】
前述の実施例では、Ｓ７の判断が肯定される場合は、新たにアクティブユーザとなったユーザＩＤに関連付けられた利用者の名前（ニックネーム）が予約ボタン表示部１３４内またはその近傍に表示されるが、その際、ログインしていないユーザであるゲストユーザが選択された場合は、ユーザＩＤに関連付けられないアクティブユーザとなるため予約ボタン表示部１３４内またはその近傍に「ゲスト」と表示されるものであってもよい。
【００７４】
前述の実施例において、表示制御手段９４は、選曲予約受付画像１３０内にアクティブユーザ名の表示をしていないが、選曲予約受付画像１３０内にアクティブユーザ名表示位置を設けてアクティブユーザ名を表示してもよい。
【００７５】
その他、一々例示はしないが、本発明はその趣旨を逸脱しない範囲内において種々の変更が加えられて実施されるものである。
【符号の説明】
【００７６】
１０：カラオケ装置
６０：カラオケ入力装置
６２：タッチパネルディスプレイ
９０：利用者認証制御手段
９２：利用者切替制御手段
９４：表示制御手段
９６：選曲送信制御手段
９８：音声出力制御手段
１３０：選曲予約受付画像
１３４：予約ボタン表示部
【図１】
0006577810.tif 000002
【図２】
0006577810.tif 000003
【図３】
0006577810.tif 000004
【図４】
0006577810.tif 000005
【図５】
0006577810.tif 000006
【図６】
0006577810.tif 000007
【図７】
0006577810.tif 000008
【図８】
0006577810.tif 000009
【図９】
0006577810.tif 000010